(57)【要約】【課題】複数の切り込み線の配列方向に対して斜めの方向に力が加わった場合でも、紙むけ等を生じさせずにシート媒体を分離する。【解決手段】第１紙片部１０と第２紙片部２０との連接方向とは直交する方向に二列となって配列された複数の切り込み線４１と、この二列の切り込み線４１間に挟まれ、複数の切り込み線４１が繋がることにより表面シート５から分離される開封用帯体部４２とから開封構造４０を構成し、複数の切り込み線４１をそれぞれ、複数の切り込み線４１の配列方向に延びた辺部４１ａと、一端がこの辺部４１ａの一方の端部に繋がり、他端が開封用帯体部４２側に向いた辺部４１ｂと、一端が辺部４１ａの他方の端部に繋がり、他端が、開封用帯体部４２側に向き、かつ、その延長線が隣接する切り込み線４１の辺部４１ｂと交差する方向に向いた辺部４１ｃとから構成する。【選択図】図１
2008044248.tif 000002
【特許請求の範囲】
【請求項１】
シート媒体に複数の切り込み線が一方向に配列して設けられ、前記複数の切り込み線が繋がることにより当該切り込み線を挟んだ２つの領域に前記シート媒体が分離される分離構造において、
前記複数の切り込み線は、一端が、前記一方向とは異なる方向でかつ、その延長線が隣接する切り込み線と交差する方向に向いていることを特徴とする分離構造。
【発明の詳細な説明】
【技術分野】
【０００１】
本発明は、複数の切り込み線が一定方向に配列し、この複数の切り込み線が繋がることにより当該切り込み線を挟んだ２つの領域が互いに分離されるミシン目等の分離構造に関する。
【背景技術】
【０００２】
従来より、紙等のシート媒体を破断して複数の領域に分離する分離構造として、直線からなる複数の切り込み線が一方向に配列されたミシン目が用いられている。このようなミシン目は、複数の切り込み線がそれぞれ配列方向に延びた直線形状となっており、シート媒体のミシン目を挟んだ一方の領域を複数の切り込み線の配列方向に引っ張ることにより、複数の切り込み線が繋がり、シート媒体を複数の領域に分離することができる。
【０００３】
近年、このような切り込み線の形状を工夫することにより、複数の切り込み線からなるミシン目を用いてシート媒体を複数の領域に分離した場合に、ミシン目に沿ってシート媒体が切断されずに紙むけ等が生じることを回避する分離構造が考えられている。
【０００４】
図９は、従来の分離構造を用いた紙箱の開封構造の一例を示す図であり、（ａ）は開封構造全体を示す図、（ｂ）は（ａ）に示した開封構造３４０の詳細な構成を示す図である。
【０００５】
図９に示すように本従来例においては、紙箱３１０の一部にこの紙箱３１０を開封するための開封構造３４０が設けられている。開封構造３４０は、一方向に二列となって配列された複数の切り込み線３４１と、この二列の切り込み線３４１間に挟まれ、複数の切り込み線３４１が繋がることにより紙箱３１０から分離される開封用帯体部３４２とから構成されている。また、複数の切り込み線３４１はそれぞれ、切り込み線３４１の配列方向に延びた辺部３４１ａと、一端がこの辺部３４１ａの一端に繋がり、他端が開封用帯体部３４２側に向いた辺部３４１ｂとから構成されている（例えば、特許文献１参照。）。
【０００６】
以下に、上記のように構成された開封構造３４０の作用について説明する。
【０００７】
図１０は、図９に示した開封構造３４０の作用を説明するための図である。
【０００８】
図９に示した開封構造３４０を用いて紙箱３１０を開封する場合は、図中左側、すなわち切り込み線３４１の辺部３４１ｂ側から開封用帯体部３４２を紙箱３１０から引き上げ、図中右側、すなわち切り込み線３４１の辺部３４１ａ側に引っ張っていくと、開封用帯体部３４２が辺部３４１ｂ及び辺部３４１ａによって紙箱３１０から分離し、その分離部分が辺部３４１ａの辺部３４１ｂとは反対側の端部に達する。この辺部３４１ａの端部においては、開封用帯体部３４２が複数の切り込み線３４１の配列方向に引っ張られた場合、図１０（ａ）に示すように、開封用帯体部３４２が紙箱３１０から分離する力が、開封用帯体部３４２の中心線の方向に向くように作用する。そのため、この状態で開封用帯体部３４２をさらに引っ張っていくと、図１０（ｂ）に示すように、複数の切り込み線３４１間においては、複数の切り込み線３４１の配列方向に対して開封用帯体部３４２の中心線の方向に向くように紙箱３１０が破断していく。この破断方向には、隣接する切り込み線３４１の辺部３４１ｂが存在するため、破断部分が辺部３４１ｂと繋がり、開封用帯体部３４２が再び辺部３４１ｂ及び辺部３４１ａによって紙箱３１０から分離していく。
【０００９】
このようにして、開封構造３４０を構成する複数の切り込み線３４１が全て繋がると、開封用帯体部３４２が紙箱３１０から分離し、紙箱３１０が開封されることになる。
【特許文献１】特開２００４−１７５３６６号公報
【発明の開示】
【発明が解決しようとする課題】
【００１０】
図１１は、図９に示した開封用帯体部３４２が複数の切り込み線３４１の配列方向に対して斜めの方向に引っ張られた場合の作用を説明するための図である。
【００１１】
図９に示した開封用帯体部３４２が複数の切り込み線３４１の配列方向に対して斜めの方向に引っ張られると、図１１（ａ）に示すように、辺部３４１ａの辺部３４１ｂとは反対側の端部においても、複数の切り込み線３４１の配列方向に対して斜めの方向に破断力が加わる。そのため、複数の切り込み線３４１からなる二列のうち、開封用帯体部３４２側の方向に破断力が加わった列においては、複数の切り込み線３４１の配列方向に対して開封用帯体部３４２の方向に開封構造３４０が破断していき、また、開封用帯体部３４２とは反対側の方向に破断力が加わった列においては、複数の切り込み線３４１の配列方向に対して開封用帯体部３４２とは反対側の方向に開封構造３４０が破断していく。複数の切り込み線３４１の配列方向に対して開封用帯体部３４２の方向に開封構造３４０が破断していくと、図１１（ｂ）に示すように、その破断方向には、隣接する切り込み線３４１の辺部３４１ｂが存在するため、破断部分が辺部３４１ｂと繋がることになる。ところが、複数の切り込み線３４１の配列方向に対して開封用帯体部３４２とは反対側の方向に開封構造３４０が破断していくと、図１１（ｂ）に示すように、その破断方向には、隣接する切り込み線３４１の辺部３４１ｂが存在しないため、切り込み線３４１に沿って開封構造３４０が破断されずに紙むけが生じてしまうという問題点がある。
【００１２】
本発明は、上述したような従来の技術が有する問題点に鑑みてなされたものであって、複数の切り込み線の配列方向に対して斜めの方向に力が加わった場合でも、紙むけ等を生じさせずにシート媒体を分離することができる分離構造を提供することを目的とする。
【課題を解決するための手段】
【００１３】
上記目的を達成するために本発明は、
シート媒体に複数の切り込み線が一方向に配列して設けられ、前記複数の切り込み線が繋がることにより当該切り込み線を挟んだ２つの領域に前記シート媒体が分離される分離構造において、
前記複数の切り込み線は、一端が、前記一方向とは異なる方向でかつ、その延長線が隣接する切り込み線と交差する方向に向いていることを特徴とする。
【００１４】
上記のように構成された本発明においては、シート媒体を複数の切り込み線を挟んだ２つの領域に分離していくと、切り込み線が設けられた領域においてはその切り込み線によってシート媒体が分離され、その後、分離部分が切り込み線の一端に達する。切り込み線の一端は、複数の切り込み線の配列方向とは異なる方向でかつ、その延長線が隣接する切り込み線と交差する方向に向いているので、複数の切り込み線の配列方向に対して斜めの方向に力が加わった場合においても、複数の切り込み線間におけるシート媒体の破断力が隣接する切り込み線と交差する方向に向かうことになり、それにより、破断部分が隣接する切り込み線と繋がり、複数の切り込み線が繋がることによって切り込み線を挟んだ２つの領域にシート媒体が分離される。
【発明の効果】
【００１５】
以上説明したように本発明においては、複数の切り込み線の一端が、複数の切り込み線の配列方向とは異なる方向でかつ、その延長線が隣接する切り込み線と交差する方向に向いているため、複数の切り込み線の配列方向に対して斜めの方向に力が加わった場合でも、複数の切り込み線間におけるシート媒体の破断力が隣接する切り込み線と交差する方向に向かうことになり、それにより、破断部分が隣接する切り込み線と繋がり、紙むけ等を生じさせずにシート媒体を分離することができる。
【発明を実施するための最良の形態】
【００１６】
以下に、本発明の実施の形態について図面を参照して説明する。
【００１７】
（第１の実施の形態）
図１は、本発明の分離構造の第１の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造４０の詳細な構成を示す図である。
【００１８】
図１に示すように、本形態を用いた隠蔽はがきにおいては、表面シート５に第１紙片部１０と第２紙片部２０とが折り部となるミシン目３０を介して設けられ、ミシン目３０にて折り畳み可能に構成されている。第１紙片部１０には、表面シート５の表面に、この隠蔽はがき１の送付先の住所や氏名等の宛先情報が印字される宛先情報印字領域１１が設けられ、また、表面シート５の裏面には、粘着剤２ａが塗布され、隠蔽はがき１の送付先に通知したい情報を印字するための印字用シート３がこの粘着剤２ａを介して貼着されている。第２紙片部２０には、表面シート５の一部に、第１紙片部１０と第２紙片部２０とが互いに貼着された後にこの隠蔽はがき１を開封するための分離構造を用いた開封構造４０が設けられ、また、表面シート５の裏面には、粘着剤２ａ，２ｂが塗布され、この粘着剤２ａ，２ｂを介して剥離紙４が剥離可能に貼着されている。剥離紙４は、剥離開始指示部４ｃが設けられた剥離台紙４ａの一方の面にシリコン等の剥離剤４ｂが塗布され、この剥離剤４ｂが塗布された面が粘着剤２ａ，２ｂを介して表面シート５と貼着されることにより、表面シート５と剥離紙４とが剥離可能に貼着される。また、粘着剤２ａ，２ｂにおいては、表面シート５の第１紙片部１０と第２紙片部２０の開封構造４０のミシン目３０とは反対側の領域とには同一の粘着剤２ａが塗布されており、この粘着剤２ａと表面シート５の第２紙片部２０のそれ以外の領域に塗布された粘着剤２ｂとは、粘着剤２ｂの粘着力が粘着剤２ａの粘着力よりも弱く、表面シート５がミシン目３０にて折り畳まれて表面シート５と印字用シート３とが貼着された後に粘着剤２ｂによって貼着された領域については再剥離が可能となっている。
【００１９】
表面シート５の第２紙片部２０に設けられた開封構造４０は、第１紙片部１０と第２紙片部２０との連接方向とは直交する方向に二列となって配列された複数の切り込み線４１と、この二列の切り込み線４１間に挟まれ、複数の切り込み線４１が繋がることにより表面シート５から分離される開封用帯体部４２とから構成されている。また、複数の切り込み線４１はそれぞれ、複数の切り込み線４１の配列方向に延びた辺部４１ａと、一端がこの辺部４１ａの一方の端部に繋がり、他端が開封用帯体部４２側に向いた辺部４１ｂと、一端が辺部４１ａの他方の端部に繋がり、他端が、開封用帯体部４２側に向き、かつ、その延長線が隣接する切り込み線４１の辺部４１ｂと交差する方向に向いた辺部４１ｃとから構成されている。この開封構造４０の二列となった複数の切り込み線４１の一列によって本発明の分離構造が構成され、一列となった複数の切り込み線４１が繋がることにより、開封用帯体部４２が表面シート５から分離することになる。なお、切り込み線４１の大きさとしては、例えば、辺部４１ａの長さが４ｍｍ、辺部４１ｂの長さが２．５ｍｍ、辺部４１ｃの長さが０．５ｍｍ、辺部４１ａと辺部４１ｂとのなす角度が１５０°、辺部４１ａと辺部４１ｃとのなす角度が１２６°、隣接する切り込み線４１間にて辺部４１ａどうしの間隔が２ｍｍとすることが考えられる。
【００２０】
以下に、上記のように構成された隠蔽はがき１の使用方法及び作用について説明する。
【００２１】
まず、図１に示した隠蔽はがき１の送付時の使用方法について説明する。
【００２２】
図２は、図１に示した隠蔽はがき１の送付時の使用方法を説明するための図である。
【００２３】
図１に示した隠蔽はがき１を送付する場合は、まず、図２（ａ）に示すように、表面シート５の宛先情報印字領域１１に、この隠蔽はがき１の送付先の住所や氏名等の宛先情報１１ａを印字し、また、図２（ｂ）に示すように、印字用シート３に、この隠蔽はがき１の送付先に通知したい通知情報３ａを印字する。
【００２４】
次に、図２（ｃ）に示すように、表面シート５の第２紙片部２０に貼着された剥離紙４を剥離開始指示部４ｃから剥離する。
【００２５】
すると、図２（ｄ）に示すように、表面シート５の第２紙片部２０に塗布された粘着剤２ａ，２ｂが表出するため、この粘着剤２ａ，２ｂが表出した面が内側となるように表面シート５をミシン目３０にて折り畳み、粘着剤２ａ，２ｂによって第１紙片部１０と第２紙片部２０とを貼着する。
【００２６】
第１紙片部１０と第２紙片部２０とが粘着剤２ａ，２ｂによって貼着された隠蔽はがき１は、図２（ｅ）に示すように、印字用シート３に印字された通知情報３ａが表面シート５によって隠蔽されているとともに、第１紙片部１０側にて、表面シート５の宛先情報印字領域１１に印字された宛先情報１１ａが表出しており、印字用シート３に印字された通知情報３ａが隠蔽された状態で、宛先情報１１ａに従ってが送付先に届けられることになる。
【００２７】
また、第１紙片部１０と第２紙片部２０とが粘着剤２ａ，２ｂによって貼着された隠蔽はがき１の第２紙片部２０側には、図２（ｆ）に示すように、表面シート５に設けられた開封構造４０が表出している。
【００２８】
次に、図１に示した隠蔽はがき１の開封時の使用方法及びその際の作用について説明する。
【００２９】
図３は、図１に示した隠蔽はがき１の開封時の使用方法及びその際の作用を説明するための図である。
【００３０】
図１に示した隠蔽はがき１が図２に示したように第１紙片部１０と第２紙片部２０とが貼着された状態で隠蔽はがき１の送付先に届けられた後、この隠蔽はがき１を開封する場合は、図３（ａ）に示すように、開封構造４０のうちその端部が切り込み線４１の辺部４１ｂとなる側から開封用帯体部４２を表面シート５の第２紙片部２０から引き上げ、図中上側、すなわち切り込み線４１の辺部４１ａ側に引っ張っていくと、開封用帯体部４２が辺部４１ａ〜４１ｃによって表面シート５から分離し、その分離部分が辺部４１ｃの辺部４１ａとは反対側の端部に達する。この辺部４１ｃの端部においては、開封用帯体部４２が複数の切り込み線４１の配列方向に引っ張られた場合、図３（ｂ）に示すように、開封用帯体部４２が表面シート５から分離する力が開封用帯体部４２の中心線の方向に向くように作用する。そのため、この状態で開封用帯体部４２をさらに引っ張っていくと、複数の切り込み線４１間においては、複数の切り込み線４１の配列方向に対して開封用帯体部４２の中心線の方向に向くように表面シート５が破断していく。この破断方向には、隣接する切り込み線４１の辺部４１ｂが存在するため、図３（ｃ）に示すように、破断部分が辺部４１ｂと繋がり、開封用帯体部４２が再び辺部４１ａ〜４１ｃによって表面シート５から分離していく。なお、表面シート５の開封用帯体部４２となる領域においても、粘着剤２ｂによって印字用シート３と貼着されているが、粘着剤２ｂは上述したように粘着力が弱く、印字用シート３から再剥離が可能となっているため、開封構造４０を用いて開封用帯体部４２を表面シート５から分離していくことができる。
【００３１】
このようにして、開封構造４０を構成する複数の切り込み線４１が全て繋がると、図３（ｄ）に示すように、開封用帯体部４２が表面シート５から分離し、隠蔽はがき１が開封可能な状態となる。
【００３２】
開封用帯体部４２を表面シート５から分離した後、図３（ｅ）に示すように、表面シート５の第２紙片部２０を印字用シート３から剥離していくと、図３（ｆ）に示すように、隠蔽はがき１が開封され、印字用シート３に印字された通知情報３ａが表出し、この通知情報３ａが隠蔽はがき１の送付先に通知されることになる。なお、開封構造４０を介してミシン目３０とは反対側の領域においては、開封構造４０及び開封構造４０を介してミシン目３０側にて表面シート５と印字用シート３とを貼着している粘着剤２ｂよりも粘着力が強い粘着剤２ａによって表面シート５と印字用シート３とが貼着されているため、開封構造４０を用いずに第２紙片部２０のミシン目３０に対向する端部から表面シート５と印字用シート３とを剥離して隠蔽はがき１を不正に開封しようとした場合、表面シート５や印字用シート３に紙むけ等が生じてその痕跡を残すことができる。
【００３３】
ここで、図１に示した隠蔽はがき１において開封用帯体部４２が複数の切り込み線４１の配列方向に対して斜めの方向に引っ張られた場合の作用について説明する。
【００３４】
図４は、図１に示した隠蔽はがき１において開封用帯体部４２が複数の切り込み線４１の配列方向に対して斜めの方向に引っ張られた場合の作用を説明するための図である。
【００３５】
図１に示した隠蔽はがき１において開封用帯体部４２が複数の切り込み線４１の配列方向に対して斜めの方向に引っ張られると、図４（ａ）に示すように、辺部４１ｃの辺部４１ａとは反対側の端部においても、複数の切り込み線４１の配列方向に対して斜めの方向に破断力が加わる。そのため、複数の切り込み線４１からなる二列のうち、開封用帯体部４２側の方向に破断力が加わった列においては、複数の切り込み線４１の配列方向に対して開封用帯体部４２側の方向に開封構造４０が破断していき、また、開封用帯体部４２とは反対側の方向に破断力が加わった列においては、複数の切り込み線４１の配列方向に対して開封用帯体部４２とは反対側の方向に開封構造４０が破断していく。開封用帯体部４２側の方向に開封構造４０が破断していくと、図４（ｂ）に示すように、その破断方向には、隣接する切り込み線４１の辺部４１ｂが存在するため、破断部分が辺部４１ｂと繋がることになる。また、開封用帯体部４２とは反対側の方向に開封構造４０が破断していった場合においても、本形態においては、切り込み線４１を構成する辺部４１ｃの辺部４１ａとは反対側の端部が、開封用帯体部４２側に向いており、かつ、その延長線が隣接する切り込み線４１の辺部４１ｂと交差する方向に向いているため、図４（ｂ）に示すように、その破断方向には、隣接する切り込み線４１の辺部４１ｂが存在することになり、それにより、破断部分が辺部４１ｂと繋がることになる。さらに、本形態においては、辺部４１ｃの辺部４１ａとは反対側の端部が開封用帯体部４２側に向いているため、辺部４１ｃの辺部４１ａとは反対側の端部においては、開封用帯体部４２が引っ張られる方向と、辺部４１ｃの端部から開封用帯体部４２側に向かう方向とを合成した方向に破断しようとする力が働き、それにより、開封用帯体部４２とは反対側の方向に破断力が加わった列においても、開封構造４０の破断方向が開封用帯体部４２とは反対側に大きく向かいにくくなる。なお、切り込み線４１を構成する辺部４１ｃの長さが短い場合、辺部４１ｃが向かう方向への破断力が集中し、上記効果を得やすくなる。
【００３６】
（第２の実施の形態）
図５は、本発明の分離構造の第２の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造１４０の詳細な構成を示す図である。
【００３７】
本形態は図５に示すように、図１に示したものに対して、開封構造１４０の構成のみが異なるものである。本形態における開封構造１４０は、第１紙片部１１０と第２紙片部１２０との連接方向とは直交する方向に二列となって配列された複数の切り込み線１４１と、この二列の切り込み線１４１間に挟まれ、複数の切り込み線１４１が繋がることにより表面シート１０５から分離される開封用帯体部１４２とから構成されている。また、複数の切り込み線１４１はそれぞれ、一端が互いに繋がった２つの辺部１４１ａ，１４１ｂからなり、２つの辺部１４１ａ，１４１ｂはそれぞれ他端が開封用帯体部１４２側に向いている。また、辺部１４１ａは、開封用帯体部１４２側に向いた端部の延長線が隣接する切り込み線１４１の辺部１４１ｂと交差する方向に向いている。
【００３８】
以下に、上記のように構成された隠蔽はがき１０１の使用方法及び作用について説明する。
【００３９】
図５に示した隠蔽はがき１０１を送付する場合は、第１の実施の形態にて示したものと同様にして、表面シート１０５の宛先情報印字領域１１１に宛先情報を印字するとともに、印字用シート１０３に通知情報を印字し、表面シート１０５をミシン目１３０にて折り畳み、粘着剤１０２ａ，１０２ｂによって第１紙片部１１０と第２紙片部１２０とを貼着し、隠蔽はがき１０１を送付する。
【００４０】
図６は、図５に示した隠蔽はがき１０１の開封時の使用方法及びその際の作用を説明するための図である。
【００４１】
図５に示した隠蔽はがき１０１が第１紙片部１１０と第２紙片部１２０とが貼着された状態で隠蔽はがき１０１の送付先に届けられた後、この隠蔽はがき１０１を開封する場合は、図６（ａ）に示すように、開封構造１４０のうちその端部が切り込み線１４１の辺部１４１ｂとなる側から開封用帯体部１４２を表面シート１０５の第２紙片部１２０から引き上げ、図中上側、すなわち切り込み線１４１の辺部１４１ａ側に引っ張っていくと、開封用帯体部１４２が辺部１４１ａ，１４１ｂによって表面シート１０５から分離し、その分離部分が辺部１４１ａの辺部１４１ｂとは反対側の端部に達する。この辺部１４１ａの端部においては、開封用帯体部１４２が複数の切り込み線１４１の配列方向に引っ張られた場合、図６（ｂ）に示すように、開封用帯体部１４２が表面シート１０５から分離する力が開封用帯体部１４２の中心線の方向に向くように作用する。そのため、この状態で開封用帯体部１４２をさらに引っ張っていくと、複数の切り込み線１４１間においては、複数の切り込み線１４１の配列方向に対して開封用帯体部１４２の中心線の方向に向くように表面シート１０５が破断していく。この破断方向には、隣接する切り込み線１４１の辺部１４１ｂが存在するため、図６（ｃ）に示すように、破断部分が辺部１４１ｂと繋がり、開封用帯体部１４２が再び辺部１４１ａ，１４１ｂによって表面シート１０５から分離していく。なお、表面シート１０５の開封用帯体部１４２となる領域においても、粘着剤１０２ｂによって印字用シート１０３と貼着されているが、粘着剤１０２ｂは上述したように粘着力が弱く、印字用シート１０３から再剥離が可能となっているため、開封構造１４０を用いて開封用帯体部１４２を表面シート１０５から分離していくことができる。
【００４２】
このようにして、開封構造１４０を構成する複数の切り込み線１４１が全て繋がると、図６（ｄ）に示すように、開封用帯体部１４２が表面シート１０５から分離し、隠蔽はがき１０１が開封可能な状態となる。
【００４３】
開封用帯体部１４２を表面シート１０５から分離した後、図６（ｅ）に示すように、表面シート１０５の第２紙片部１２０を印字用シート１０３から剥離していくと、図６（ｆ）に示すように、隠蔽はがき１０１が開封され、印字用シート１０３に印字された通知情報１０３ａが表出し、この通知情報１０３ａが隠蔽はがき１０１の送付先に通知されることになる。なお、開封構造１４０を介してミシン目１３０とは反対側の領域においては、開封構造１４０及び開封構造１４０を介してミシン目１３０側にて表面シート１０５と印字用シート１０３とを貼着している粘着剤１０２ｂよりも粘着力が強い粘着剤１０２ａによって表面シート１０５と印字用シート１０３とが貼着されているため、開封構造１４０を用いずに第２紙片部１２０のミシン目１３０に対向する端部から表面シート１０５と印字用シート１０３とを剥離して隠蔽はがき１０１を不正に開封しようとした場合、表面シート１０５や印字用シート１０３に紙むけ等が生じてその痕跡を残すことができる。
【００４４】
ここで、図５に示した隠蔽はがき１０１において開封用帯体部１４２が複数の切り込み線１４１の配列方向に対して斜めの方向に引っ張られた場合の作用について説明する。
【００４５】
図７は、図５に示した隠蔽はがき１０１において開封用帯体部１４２が複数の切り込み線１４１の配列方向に対して斜めの方向に引っ張られた場合の作用を説明するための図である。
【００４６】
図５に示した隠蔽はがき１０１において開封用帯体部１４２が複数の切り込み線１４１の配列方向に対して斜めの方向に引っ張られると、図７（ａ）に示すように、辺部１４１ａの辺部１４１ｂとは反対側の端部においても、複数の切り込み線１４１の配列方向に対して斜めの方向に破断力が加わる。そのため、複数の切り込み線１４１からなる二列のうち、開封用帯体部１４２側の方向に破断力が加わった列においては、複数の切り込み線１４１の配列方向に対して開封用帯体部１４２側の方向に開封構造１４０が破断していき、また、開封用帯体部１４２とは反対側の方向に破断力が加わった列においては、複数の切り込み線１４１の配列方向に対して開封用帯体部１４２とは反対側の方向に開封構造１４０が破断していく。開封用帯体部１４２側の方向に開封構造１４０が破断していくと、図７（ｂ）に示すように、その破断方向には、隣接する切り込み線１４１の辺部１４１ｂが存在するため、破断部分が辺部１４１ｂと繋がることになる。また、開封用帯体部１４２とは反対側の方向に開封構造１４０が破断していった場合においても、本形態においては、切り込み線１４１を構成する辺部１４１ａの辺部１４１ｂとは反対側の端部が、開封用帯体部１４２側に向いており、かつ、その延長線が隣接する切り込み線１４１の辺部１４１ｂと交差する方向に向いているため、図７（ｂ）に示すように、その破断方向には、隣接する切り込み線１４１の辺部１４１ｂが存在することになり、それにより、破断部分が辺部１４１ｂと繋がることになる。さらに、本形態においては、辺部１４１ａの辺部１４１ｂとは反対側の端部が開封用帯体部１４２側に向いているため、辺部１４１ａの辺部１４１ｂとは反対側の端部においては、開封用帯体部１４２が引っ張られる方向と、辺部１４１ａの端部から開封用帯体部１４２側に向かう方向とを合成した方向に破断しようとする力が働き、それにより、開封用帯体部１４２とは反対側の方向に破断力が加わった列においても、開封構造１４０の破断方向が開封用帯体部１４２とは反対側に大きく向かいにくくなる。
【００４７】
（第３の実施の形態）
図８は、本発明の分離構造の第３の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造２４０の詳細な構成を示す図である。
【００４８】
本形態は図８に示すように、図１に示したものに対して、開封構造２４０の構成のみが異なるものである。本形態における開封構造２４０は、第１紙片部２１０と第２紙片部２２０との連接方向とは直交する方向に二列となって配列された複数の切り込み線２４１と、この二列の切り込み線２４１間に挟まれ、複数の切り込み線２４１が繋がることにより表面シート２０５から分離される開封用帯体部２４２とから構成されている。また、複数の切り込み線２４１はそれぞれ、複数の切り込み線２４１の配列方向に延びた辺部２４１ａと、一端がこの辺部２４１ａの一方の端部に繋がり、他端が開封用帯体部２４２とは反対側に向いた辺部２４１ｂと、一端が辺部２４１ａの他方の端部に繋がり、他端が、開封用帯体部２４２とは反対側に向き、かつ、その延長線が隣接する切り込み線２４１の辺部２４１ｂと交差する方向に向いた辺部２４１ｃとから構成されている。すなわち、第１の実施の形態に示したものに対して、切り込み線２４１を構成する辺部２４１ｂ，２４１ｃの端部が、開封用帯体部２４２とは反対側に向いている点のみが異なる。
【００４９】
上記のように構成された隠蔽はがき２０１においても、第１及び第２に示した隠蔽はがき１，１０１と同様に、開封用帯体部２４２が複数の切り込み線２４１の配列方向に対して斜めの方向に引っ張られた場合においても、紙むけ等を生じさせずに開封することができる。
【００５０】
なお、上述した３つの実施の形態において、切り込み線４１，１４１，２４１の端部のうち、辺部４１ｂ，１４１ｂ，２４１ｂ側、すなわち破断の受け側となる端部をＹ字状に二股形状とすることも考えられる。
【００５１】
また、上述した３つの実施の形態においては、本発明の分離構造を用いた開封構造４０，１４０，２４０を有する隠蔽はがき１，１０１，２０１を例に挙げて説明したが、このような開封構造４０，１４０，２４０は、上述したような隠蔽はがき１，１０１，２０１に限らず、菓子箱等の箱体を開封するための開封構造としても利用することができる。
【００５２】
また、本発明の分離構造は、上述した３つの実施の形態に示した開封構造４０，１４０，２４０のように、複数の切り込み線４１，１４１，２４１が二列に配列された構成に限らず、複数の切り込み線４１，１４１，２４１が一方向に配列されていれば一列であってもよい。例えば、受領片等の分離領域が設けられた配送伝票において、複数の切り込み線４１，１４１，２４１が一列に配列された分離構造を用いて分離領域を他の領域から分離可能に構成することが考えられる。
【図面の簡単な説明】
【００５３】
【図１】本発明の分離構造の第１の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造の詳細な構成を示す図である。
【図２】図１に示した隠蔽はがきの送付時の使用方法を説明するための図である。
【図３】図１に示した隠蔽はがきの開封時の使用方法及びその際の作用を説明するための図である。
【図４】図１に示した隠蔽はがきにおいて開封用帯体部が複数の切り込み線の配列方向に対して斜めの方向に引っ張られた場合の作用を説明するための図である。
【図５】本発明の分離構造の第２の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造の詳細な構成を示す図である。
【図６】図５に示した隠蔽はがきの開封時の使用方法及びその際の作用を説明するための図である。
【図７】図５に示した隠蔽はがきにおいて開封用帯体部が複数の切り込み線の配列方向に対して斜めの方向に引っ張られた場合の作用を説明するための図である。
【図８】本発明の分離構造の第３の実施の形態を示す図であり、（ａ）は分離構造を用いた隠蔽はがきの一方の面を示す図、（ｂ）は（ａ）に示したＡ−Ａ’断面図、（ｃ）は（ａ）に示した隠蔽はがきの他方の面を示す図、（ｄ）は分離構造を用いた開封構造の詳細な構成を示す図である。
【図９】従来の分離構造を用いた紙箱の開封構造の一例を示す図であり、（ａ）は開封構造全体を示す図、（ｂ）は（ａ）に示した開封構造の詳細な構成を示す図である。
【図１０】図９に示した開封構造の作用を説明するための図である。
【図１１】図９に示した開封用帯体部が複数の切り込み線の配列方向に対して斜めの方向に引っ張られた場合の作用を説明するための図である。
【符号の説明】
【００５４】
１，１０１，２０１    隠蔽はがき
２ａ，２ｂ，１０２ａ，１０２ｂ，２０２ａ，２０２ｂ    粘着剤
３，１０３，２０３    印字用シート
３ａ，１０３ａ    通知情報
４，１０４，２０４    剥離紙
４ａ，１０４ａ，２０４ａ    剥離台紙
４ｂ，１０４ｂ，２０４ｂ    剥離剤
４ｃ，１０４ｃ，２０４ｃ    剥離開始指示部
５，１０５，２０５    表面シート
１０，１１０，２１０    第１紙片部
１１，１１１，２１１    宛先情報印字領域
１１ａ    宛先情報
２０，１２０，２２０    第２紙片部
３０，１３０，２３０    ミシン目
４０，１４０，２４０    開封構造
４１，１４１，２４１    切り込み線
４１ａ〜４１ｃ，１４１ａ，１４１ｂ，２４１ａ〜２４１ｃ    辺部
４２，１４２，２４２    開封用帯体部
【図１】
2008044248.tif 000003
【図２】
2008044248.tif 000004
【図３】
2008044248.tif 000005
【図４】
2008044248.tif 000006
【図５】
2008044248.tif 000007
【図６】
2008044248.tif 000008
【図７】
2008044248.tif 000009
【図８】
2008044248.tif 000010
【図９】
2008044248.tif 000011
【図１０】
2008044248.tif 000012
【図１１】
2008044248.tif 000013